【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
装置によって、２つ以上の集約されたメディアアクセス制御プロトコルデータユニット（Ａ−ＭＰＤＵ）サブフレームを備えるＡ−ＭＰＤＵフレームを生成することと、ここにおいて、各Ａ−ＭＰＤＵサブフレームは受信機アドレスを備え、さらに、ここにおいて、前記Ａ−ＭＰＤＵフレームは各Ａ−ＭＰＤＵサブフレームの前記受信機アドレスと関連付けられる１つまたは複数の肯定応答ポリシーに関する少なくとも１つの指示を備え、
前記Ａ−ＭＰＤＵフレームを生成することが、前記２つ以上のＡ−ＭＰＤＵサブフレームの少なくとも１つにおける、フレームの末尾フィールドまたは肯定応答ポリシーフィールドの少なくとも１つにおいて、受信の肯定応答に対する要求を生成することを備え、前記フレームの末尾フィールドまたは前記肯定応答ポリシーフィールド中の値が、受信の肯定応答に対する前記要求のタイプを決定する、
送信のために前記Ａ−ＭＰＤＵフレームを出力することと
を備える、方法。
【請求項２】
前記１つまたは複数の肯定応答ポリシーの少なくとも１つが、前記２つ以上のＡ−ＭＰＤＵサブフレームを備える前記Ａ−ＭＰＤＵフレームの受信の後で、制御応答フレームが送信されるべきであることを示す、請求項１に記載の方法。
【請求項３】
前記１つまたは複数の肯定応答ポリシーの前記少なくとも１つがさらに、前記２つ以上のＡ−ＭＰＤＵサブフレームを備える前記Ａ−ＭＰＤＵフレームの受信から短フレーム間空間時間後に、前記制御応答フレームが送信されるべきであることを示す、および／または、
前記１つまたは複数の肯定応答ポリシーの前記少なくとも１つがさらに、前記１つまたは複数の肯定応答ポリシーの前記少なくとも１つが特定の値に設定される場合に前記制御応答フレームが送信されるべきであることを示す、
請求項２に記載の方法。
【請求項４】
前記２つ以上のＡ−ＭＰＤＵサブフレームの少なくとも１つがさらに、メディアアクセス制御プロトコルデータユニット（ＭＰＤＵ）デリミタフィールドを備え、前記ＭＰＤＵデリミタフィールドが、前記２つ以上のＡ−ＭＰＤＵサブフレームの前記少なくとも１つの受信から前記２つ以上のＡ−ＭＰＤＵサブフレームの前記少なくとも１つの肯定応答が送信されるまでに経過することになる時間遅延を示す値を記憶する、
前記２つ以上のＡ−ＭＰＤＵサブフレームの前記少なくとも１つの前記ＭＰＤＵデリミタフィールドによって示される前記時間遅延が、前記ＭＰＤＵデリミタフィールドにおいてまた示されるバックオフ値に基づく、
前記ＭＰＤＵデリミタフィールドにおいて示される前記バックオフ値が、短フレーム間空間時間または定数値の少なくとも１つに基づく、
請求項１に記載の方法。
【請求項５】
前記Ａ−ＭＰＤＵフレームの送信から短フレーム間空間時間以上の遅延の後に、前記２つ以上のＡ−ＭＰＤＵサブフレームの前記少なくとも１つの受信の前記肯定応答を受信することをさらに備える、請求項１に記載の方法。
【請求項６】
前記２つ以上のＡ−ＭＰＤＵサブフレームの前記少なくとも１つに関する受信の肯定応答に対する前記要求の前記タイプが肯定応答フレームであることを示すように、前記２つ以上のＡ−ＭＰＤＵサブフレームの前記少なくとも１つにおいて前記フレームの末尾フィールドの前記値を設定することをさらに備える、請求項１に記載の方法。
【請求項７】
前記２つ以上のＡ−ＭＰＤＵサブフレームの前記少なくとも１つに関する受信の肯定応答に対する前記要求の前記タイプがブロック肯定応答フレームであることを示すように、前記２つ以上のＡ−ＭＰＤＵサブフレームの前記少なくとも１つにおいて前記フレームの末尾フィールドの前記値を設定することをさらに備える、請求項１に記載の方法。
【請求項８】
２つ以上の集約されたメディアアクセス制御プロトコルデータユニット（Ａ−ＭＰＤＵ）サブフレームを備えるＡ−ＭＰＤＵフレームを生成するための手段と、ここにおいて、各Ａ−ＭＰＤＵサブフレームは受信機アドレスを備え、さらに、ここにおいて、前記Ａ−ＭＰＤＵフレームは各Ａ−ＭＰＤＵサブフレームの前記受信機アドレスと関連付けられる１つまたは複数の肯定応答ポリシーに関する少なくとも１つの指示を備え、前記Ａ−ＭＰＤＵフレームを生成するための前記手段が、前記２つ以上のＡ−ＭＰＤＵサブフレームの少なくとも１つにおける、フレームの末尾フィールドまたは肯定応答ポリシーフィールドの少なくとも１つにおいて、受信の肯定応答に対する要求を生成するように構成され、前記フレームの末尾フィールドまたは前記肯定応答ポリシーフィールド中の値が、受信の肯定応答に対する前記要求のタイプを決定する、
前記Ａ−ＭＰＤＵフレームを送信するための手段と
を備える、装置。
【請求項９】
ワイヤレス通信の方法であって、
装置によって、集約されたメディアアクセス制御プロトコルデータユニット（Ａ−ＭＰＤＵ）フレームを受信することと、
前記装置によって、前記受信されたＡ−ＭＰＤＵフレームの２つ以上のＡ−ＭＰＤＵサブフレームを復号することと、
前記装置によって、前記２つ以上のＡ−ＭＰＤＵサブフレームの各々に対応する受信機アドレスを復号することと、
前記２つ以上のＡ−ＭＰＤＵサブフレームの各々に対する前記復号された受信機アドレスに基づいて、前記受信されたＡ−ＭＰＤＵフレームの前記２つ以上のＡ−ＭＰＤＵサブフレームの少なくとも１つが前記装置に宛てられると決定することと、
前記２つ以上のＡ−ＭＰＤＵサブフレームの各々のフレームの末尾フィールドまたは肯定応答ポリシーフィールドのうちの対応する少なくとも１つのフィールドにおける各Ａ−ＭＰＤＵサブフレームの前記受信機アドレスと関連付けられる少なくとも１つの指示に基づいて、前記受信されたＡ−ＭＰＤＵフレームの前記２つ以上のＡ−ＭＰＤＵサブフレームの各々に対応する１つまたは複数の肯定応答ポリシーを復号することと
を備える、方法。
【請求項１０】
前記２つ以上のＡ−ＭＰＤＵサブフレームの前記少なくとも１つにおける前記フレームの末尾フィールド中の値を復号することと、前記値は、前記２つ以上のＡ−ＭＰＤＵサブフレームの各々に対応する前記１つまたは複数の肯定応答ポリシーに関する受信の肯定応答に対する要求のタイプを示す、
前記フレームの末尾フィールド中の前記復号された値が１である場合、前記２つ以上のＡ−ＭＰＤＵサブフレームの前記少なくとも１つの受信に肯定応答する肯定応答フレームを生成することと、
前記肯定応答フレームを送信のために出力することと
をさらに備える、請求項９に記載の方法。
【請求項１１】
前記２つ以上のＡ−ＭＰＤＵサブフレームの前記少なくとも１つにおける前記フレームの末尾フィールド中の値を復号することと、前記復号された値は、前記２つ以上のＡ−ＭＰＤＵサブフレームの各々に対応する前記１つまたは複数の肯定応答ポリシーの受信の肯定応答に対する要求のタイプを示す、
前記フレームの末尾フィールド中の前記復号された値が０である場合、前記２つ以上のＡ−ＭＰＤＵサブフレームの前記少なくとも１つの受信に肯定応答するブロック肯定応答フレームを生成することと、
前記ブロック肯定応答フレームを送信のために出力することと
をさらに備える、請求項９に記載の方法。
【請求項１２】
前記２つ以上のＡ−ＭＰＤＵサブフレームの前記少なくとも１つにおけるメディアアクセス制御プロトコルデータユニット（ＭＰＤＵ）デリミタフィールドを復号することと、
前記Ａ−ＭＰＤＵフレームの受信から前記肯定応答フレームを送信のために出力するまでに経過することになる時間遅延を、前記ＭＰＤＵデリミタフィールドに記憶されている値から決定することと、
前記２つ以上のＡ−ＭＰＤＵサブフレームの各々に対応する前記１つまたは複数の肯定応答ポリシーに基づいて、前記時間遅延が経過した後に前記肯定応答フレームを送信のために出力することと
をさらに備える、請求項１１に記載の方法。
【請求項１３】
前記ＭＰＤＵデリミタフィールドに記憶されている前記値がバックオフ値であり、
前記ＭＰＤＵデリミタフィールドに記憶されている前記バックオフ値が、短フレーム間空間時間または定数値の少なくとも１つに基づく、請求項１２に記載の方法。
【請求項１４】
ワイヤレス通信のための装置であって、
集約されたメディアアクセス制御プロトコルデータユニット（Ａ−ＭＰＤＵ）フレームを受信するための手段と、
前記受信されたＡ−ＭＰＤＵフレームに基づいて２つ以上のＡ−ＭＰＤＵサブフレームを復号するための手段と、
前記２つ以上のＡ−ＭＰＤＵサブフレームの各々に対応する受信機アドレスを復号するための手段と、
前記２つ以上のＡ−ＭＰＤＵサブフレームの各々に対する前記復号された受信機アドレスに基づいて、前記受信されたＡ−ＭＰＤＵフレームから復号された前記２つ以上のＡ−ＭＰＤＵサブフレームの少なくとも１つが前記装置に宛てられると決定するための手段と、
前記２つ以上のＡ−ＭＰＤＵサブフレームの各々のフレームの末尾フィールドまたは肯定応答ポリシーフィールドのうちの対応する少なくとも１つのフィールドにおける各Ａ−ＭＰＤＵサブフレームの前記受信機アドレスと関連付けられる少なくとも１つの指示に基づいて、前記２つ以上のＡ−ＭＰＤＵサブフレームの各々に対する肯定応答ポリシーを復号するための手段と
を備える、装置。
【請求項１５】
実行されると、コンピュータに、請求項１〜請求項７または請求項９〜請求項１３のうちのいずれか一項に記載の方法を実行させる命令によってコンピュータ可読媒体が符号化されたコンピュータプログラム製品。